(57)【要約】【課題】  種々の地色を有する原稿であってもユーザの意図に従って地肌除去処理を行うことができる画像処理装置及び画像処理方法、画像処理プログラムを提供する。【解決手段】  予め、除去したい地色を有する原稿を画像入力部２で読み取り、その画像データから補正情報登録部１４で地色を設定するとともに、その地色を除去するための補正情報を生成してユーザ登録補正情報１７として補正情報記憶部１５に記憶させておく。画像入力部２で読み取った画像データに対して、地肌除去部１８は補正情報記憶部１５からユーザ登録補正情報１７を読み出し、またバックグラウンド検出部１３で検出した地肌領域の濃度情報とともに利用して、地色を除去する。これにより、種々の地色を有する原稿について、読み取った画像データから地色を良好に除去することができる。【選択図】  図１
2006173705.tif 000002
【特許請求の範囲】
【請求項１】
外部から地色の設定を受け付ける地色設定手段と、該地色設定手段によって設定された地色を除去するための補正情報を記憶する補正情報記憶手段と、入力された画像データに対して前記補正情報記憶手段に記憶されている補正情報に従って前記地色設定手段で設定された地色を除去する補正処理を行う地肌除去手段を有することを特徴とする画像処理装置。
【請求項２】
前記地色設定手段は、入力された画像データの平均色を地色として設定することを特徴とする請求項１に記載の画像処理装置。
【請求項３】
前記地色設定手段は、入力された画像データから除去したい地色をユーザが設定する機能を有していることを特徴とする請求項１に記載の画像処理装置。
【請求項４】
前記補正情報記憶手段は、標準の補正情報も記憶しており、前記地肌除去手段は、前記補正情報記憶手段に記憶されている前記地色設定手段によって設定された補正情報または標準の補正情報を設定に従って選択することを特徴とする請求項１ないし請求項３のいずれか１項に記載の画像処理装置。
【請求項５】
さらに、処理対象となる画像データから地肌部分の濃度を検出する地肌検出手段を有し、前記地肌除去手段は、前記地肌検出手段で検出した地肌部分の濃度を加味して補正処理を行うことを特徴とする請求項１ないし請求項４のいずれか１項に記載の画像処理装置。
【請求項６】
外部から地色の設定を受け付けて該地色を除去するための補正情報を補正情報記憶手段に記憶しておき、入力された画像データに対して、前記補正情報記憶手段に記憶されている補正情報に従って、設定された地色を除去する補正処理を地肌除去手段で行うことを特徴とする画像処理方法。
【請求項７】
前記地色の設定は、入力された画像データの平均色を地色として設定することを特徴とする請求項６に記載の画像処理方法。
【請求項８】
前記地色の設定は、入力された画像データから除去したい地色をユーザが設定することを特徴とする請求項６に記載の画像処理方法。
【請求項９】
前記補正情報記憶手段は、標準の補正情報も記憶しており、補正処理の際に、前記補正情報記憶手段に記憶されている前記地色設定手段によって設定された補正情報または標準の補正情報を設定に従って選択して用いることを特徴とする請求項６ないし請求項８のいずれか１項に記載の画像処理方法。
【請求項１０】
さらに、処理対象となる画像データから地肌部分の濃度を地肌検出手段で検出し、地色を除去する補正処理の際に、検出した地肌部分の濃度を加味して補正処理を行うことを特徴とする請求項６ないし請求項９のいずれか１項に記載の画像処理方法。
【請求項１１】
コンピュータに、外部から地色の設定を受け付ける地色設定機能と、該地色設定機能によって設定された地色を除去するための補正情報を補正情報記憶手段に記憶させる補正情報記憶機能と、入力された画像データに対して前記補正情報記憶手段に記憶されている補正情報を読み出して、該補正情報に従って前記地色設定機能で設定された地色を除去する補正処理を行う地肌除去機能を実現させることを特徴とする画像処理プログラム。
【発明の詳細な説明】
【技術分野】
【０００１】
本発明は、画像データに対して地肌除去処理を行う画像処理技術に関するものである。
【背景技術】
【０００２】
一般に、複写機などにおいては、白色紙による原稿の他に、新聞紙や色つき用紙などのように用紙自体が白色でない原稿を読み取る場合がある。このような場合においても最適な画像が出力されるように、読み取った画像地肌部分の濃度を検出し、その検出結果に応じた階調補正を行う機能を有したものがある（例えば特許文献１参照）。この階調補正処理を地肌除去処理と呼んでいる。
【０００３】
従来の地肌除去処理では、処理対象の画像データにおける明度成分をもとにして地肌部分を抽出し、また明度を調整していた。そのため、例えば古新聞紙や再生紙などのように黄ばみの見られる原稿や色つき用紙の原稿を読み取った画像については、明度成分以外の色成分を有しているため、地肌除去処理を行っても地色を除去できず、あるいはかえって強調されてしまうこともあった。特にカラーの画像形成装置で処理後の画像を形成する場合、明度成分のみの調整では色成分についてはそのまま再現されてしまう。
【０００４】
このような問題を回避するため、処理対象の画像から地色を認識し、明度成分とともに彩度成分についても補正を行うことが考えられる。この方法によって、例えば新聞紙の地色などについても除去することが可能になる。
【０００５】
しかし、色つき用紙のように赤、ピンク、青、緑、黄などの不特定の下地色を持つ原稿を読み取った画像の場合には、果たして除去すべき地色なのか、残すべき色なのかを判断することができないという問題があった。例えば、新聞紙の地色である黄ばみは除去したいが、薄い黄色の色つき用紙を読み取った場合には地色をそのまま残したいといった矛盾が発生する。このとき、読み取った画像から認識した地色が、除去すべきものであるのか、残すべきものであるのかを判断することが困難であることが場合がある。また、同じ色つき用紙を用いた場合でも、ユーザによって、また用途によって、地色を除去したい場合もあれば、そのまま残したい場合もあり、一概にはいずれかに決められない場合があった。
【０００６】
【特許文献１】特開平７−３２２０６９号公報
【発明の開示】
【発明が解決しようとする課題】
【０００７】
本発明は、上述した事情に鑑みてなされたもので、種々の地色を有する原稿であってもユーザの意図に従って地肌除去処理を行うことができる画像処理装置及び画像処理方法、画像処理プログラムを提供することを目的とするものである。
【課題を解決するための手段】
【０００８】
本発明では、外部から地色を除去するための補正情報を登録しておくことができ、その補正情報を用いて、画像データ中の地肌部分に対して地色を除去する補正処理を行う。地色の設定は、例えば入力された画像データの平均色としたり、あるいは、例えば入力された画像データから除去したい地色をユーザが設定することにより行い、設定された地色を除去するための補正情報を登録するように構成することができる。
【０００９】
例えば色つき用紙を原稿として読み取った画像データについて、その平均色を求めて地色とし、その地色を除去するための補正情報を登録すればよい。あるいは、読み取った画像データに対してユーザが地色を指示することで地色の設定を行い、その地色を除去するための補正情報を登録しておけばよい。同様の色つき用紙を用いた原稿を読み取った画像データについて、登録しておいた補正情報を用いて地肌除去処理を行えば、地色が除去された良好な画像を得ることができる。もちろん、地色を除去しない設定にしておけば、色つき用紙の地色をそのまま出力画像データに反映することもできる。
【００１０】
また、上述のようにして登録される補正情報とは別に、標準の補正情報を記憶させておき、通常は標準の補正情報を用いて地肌除去処理を行い、登録時の地色を有する原稿を読み取った画像データについては登録されている補正情報を用いて地肌除去処理を行うように構成することもできる。もちろん、補正情報の登録は１つに限らず、複数登録しておいて選択できるようにしてもよい。
【００１１】
さらに、従来と同様に処理対象となる画像データから地肌部分の濃度を検出し、地色を除去する補正処理の際に、検出した地肌部分の濃度を加味して補正処理を行うように構成することができる。
【発明の効果】
【００１２】
本発明によれば、除去したい地色に対応する補正情報を登録しておくことができるので、読み取らせる原稿の地色やユーザの利用形態などに応じて補正情報を登録しておくことができ、登録された補正情報に対応する地色についての地肌除去処理を行うことができる。従って、ユーザの意図に合った地肌除去処理を行うことができ、ユーザの満足度を向上させることができるという効果がある。もちろん、地色を残したければ、登録した補正情報を用いず、あるいは標準の補正情報を用いて地肌除去処理を行えばよく、その場合には地色をそのまま出力画像データに含めることができる。
【発明を実施するための最良の形態】
【００１３】
図１は、本発明の実施の一形態を示すブロック図である。図中、１は画像処理装置、２は画像入力部、３は画像出力部、１１は色空間変換部、１２はＭＴＦ補正部、１３はバックグラウンド検出部、１４は補正情報登録部、１５は補正情報記憶部、１６は標準補正情報、１７はユーザ登録補正情報、１８は地肌除去部、１９は色空間変換部、２０は出力階調補正部である。この例では、画像処理装置１は、画像入力部２で読み取った画像データを入力として処理し、処理結果の出力画像データを画像出力部３に出力する例を示している。もちろんこの例に限らず、既に存在する画像データが入力され、また、出力画像データは保存されたり、他の処理手段に渡される構成であってもよい。
【００１４】
画像入力部２は、この例では例えばスキャナやカメラなどの画像を読み取る装置によって構成され、原稿上の画像を読み取って、青（Ｂ）、緑（Ｇ）、赤（Ｒ）の各色成分からなる画像データ（以下ＢＧＲデータと呼ぶ）を得るものである。画像を読み取るための構成は任意である。また画像出力部３は、例えばプリンタ等の画像を形成する装置によって構成され、画像処理装置１から出力されるシアン（Ｃ）、マゼンタ（Ｍ）、イエロー（Ｙ）、黒（Ｋ）の各色成分からなる画像データ（以下ＣＭＹＫデータと呼ぶ）を受け取って、例えば記録用紙などに画像を形成する。画像を形成するための構成は任意である。
【００１５】
画像処理装置１は、入力される画像データに対して地肌除去処理を含む所定の画像処理を行い、処理後の画像データを出力する。この例では画像入力部２からＢＧＲデータを受け取って、そのＢＧＲデータに対して地肌除去処理を含む所定の画像処理を施しつつＣＭＹＫデータに変換し、処理後のＣＭＹＫデータを出力する。この例では、画像処理装置１は、色空間変換部１１、ＭＴＦ補正部１２、バックグラウンド検出部１３、補正情報登録部１４、補正情報記憶部１５、地肌除去部１８、色空間変換部１９、出力階調補正部２０等を含んで構成されている。
【００１６】
色空間変換部１１は、入力されたＢＧＲデータをＬ* ａ* ｂ* 色空間における画像データ（以下Ｌ* ａ* ｂ* データと呼ぶ）に変換する。ＭＴＦ補正部１２は、色空間変換部１１によって変換されたＬ* ａ* ｂ* データに対して、例えば文字エッジの先鋭化や、中間調画像の平滑化などといった空間周波数特性を補正する、いわゆるＭＴＦ補正処理を行うものである。
【００１７】
バックグラウンド検出部１３は、色空間変換部１１によって変換されたＬ* ａ* ｂ* データ（ここではＬ* データ）をもとに、画像中の地肌領域の濃度を検出する。このバックグラウンド検出部１３における地肌領域の濃度の検出方法は従来と同様であり、例えば特許文献１に記載されている方法などを適用することができる。
【００１８】
補正情報登録部１４は、外部から地色の設定を受け付け、その地色を除去するための補正情報を生成して補正情報記憶部１５に記憶させる。一例としては、入力されたＢＧＲデータのそれぞれの色成分の平均値を算出し、その平均値を地色として設定すればよい。あるいは、入力されたＢＧＲデータを図示しない表示装置などに表示し、ユーザから除去したい地色の指示を受けて、地色の設定を行うように構成することができる。もちろん、他の装置から地色の設定を受け付けるように構成してもよい。
【００１９】
補正情報記憶部１５は、地色を除去するための補正情報を記憶する。補正情報として、ここでは標準補正情報１６及びユーザ登録補正情報１７を記憶することができる。標準補正情報１６は、従来と同様の地肌除去処理を行うための標準の補正情報である。またユーザ登録補正情報１７は、補正情報登録部１４において設定された地色を除去するための補正情報を記憶する。標準補正情報１６及びユーザ登録補正情報１７とも、１つに限らず、複数登録可能であってよい。また、ある程度広く用いられる用紙の地色であれば、予め補正情報を作成して記憶させておいてもよい。
【００２０】
地肌除去部１８は、ＭＴＦ補正部１２で補正されたＬ* ａ* ｂ* データに対して、補正情報記憶部１５に記憶されている補正情報に従って地色を除去する地肌除去処理を行う。このときバックグラウンド検出部１３で検出した地肌領域の濃度も加味して地肌除去処理を行うことができる。使用する補正情報は、設定に従って、標準補正情報１６またはユーザ登録補正情報１７のいずれかを用いることができる。ユーザ登録補正情報１７を用いる場合、従来では除去できなかった色つき用紙を用いた原稿を読み取った画像についても、地色を除去することができる。もちろん、地肌除去処理を行わないという設定の場合には、この地肌除去部１８では処理を施さずに入力された画像データをそのまま出力する。
【００２１】
色空間変換部１９は、地肌除去部１８から出力されたＬ* ａ* ｂ* データを、ＣＭＹＫデータに変換する。出力階調補正部２０は、色空間変換部１９で変換されたＣＭＹＫデータに対して、画像出力部３での出力に適した出力階調補正処理を行う。
【００２２】
次に、本発明の実施の一形態における動作の一例について説明する。まず、補正情報記憶部１５にユーザ登録補正情報１７を登録する際の動作について説明する。ユーザ登録補正情報１７をユーザが簡単に登録するために、ここでは予め除去したい地色を有する原稿を画像入力部２に読み取らせ、読み取った画像データから地色を設定する。
【００２３】
ユーザは補正情報の登録を行うモードに設定した後、除去したい地色を有する原稿を画像入力部２にセットし、読み取らせる。画像入力部２で読み取ったＢＧＲデータは画像処理装置１の色空間変換部１１に入力され、Ｌ* ａ* ｂ* データに変換された後に補正情報登録部１４に入力される。
【００２４】
補正情報登録部１４では、Ｌ* ａ* ｂ* データから地色を設定する。例えばＬ* ａ* ｂ* データのそれぞれの色成分毎に平均値を算出し、その平均値の色を地色として設定することができる。このとき、例えば地肌領域を認識し、その地肌領域の色の平均値を地色として取得することにより、より正確に地色を設定することができる。また、より簡単には、例えば画像の先端または後端あるいは左右端付近の色の平均値などを地色として取得してもよい。あるいは、Ｌ* ａ* ｂ* データを図示しない表示装置などに出力し、地色の部分を図示しない入力装置などでユーザに指示してもらってもよい。もちろん、外部の装置から地色の指定を受け付けるように構成してもよい。
【００２５】
地色が指定できたら、その地色を除去して白に近づけるような補正情報を生成する。従来は濃度のみを補正していたが、本発明では色の補正を行う必要がある。そのために、この例ではＬ* 、ａ* 、ｂ* の各色成分についてそれぞれ補正を行うための補正情報を生成する。
【００２６】
図２は、Ｌａｂ色空間の説明図、図３は、ａ* −ｂ* 平面における各象限の説明図、図４は、各象限における補正情報の設定方法の一例の説明図である。色空間変換部１１で変換されたＬ* ａ* ｂ* データは、図２に示すような３次元の空間中の点として表される。ここではそれぞれの成分の取り得る範囲を、０≦Ｌ* ≦９５、−１２８≦ａ* ≦＋１２８、−６０≦ｂ* ≦＋１００として示している。なお、これらの値は例えば０〜２５５等の所定の範囲の値に正規化されている場合もあり、図中には正規化された値も示す場合がある。
【００２７】
図２においてＬ* 軸（ａ* ＝ｂ* ＝０）が無彩色であり、従来はＬ* 成分のみを補正していたため、ａ* 、ｂ* 成分はそのまま残り、地色が残ってしまう場合があった。本発明では、指定された地色を除去するために、ａ* 成分及びｂ* 成分を０に近づける。これによって、地色の色味を除去することができる。もちろんこれだけではグレーに変換されるだけであるので、Ｌ* 成分についても補正し、白に近づける補正を行うことになる。
【００２８】
ａ* 成分及びｂ* 成分を０に近づけるためには、除去する地色によってそれぞれの成分を大きくする場合と小さくする場合がある。図３に示すようにａ* 成分，ｂ* 成分とも正の場合を第１象限、ａ* 成分が負でｂ* 成分が正の場合を第２象限、ａ* 成分、ｂ* 成分とも負の場合を第３象限、ａ* 成分が正でｂ* 成分が負の場合を第４象限とする。このとき、それぞれの象限においてａ* 成分及びｂ* 成分を増加させるか減少させるかを図４にまとめている。すなわち、第１象限の場合にはａ* 成分，ｂ* 成分とも減少させればよい。また第２象限の場合には、ａ* 成分を増加させ、ｂ* 成分を減少させればよい。第３象限の場合には、ａ* 成分、ｂ* 成分とも増加させればよい。第４象限の場合には、ａ* 成分を減少させ、ｂ* 成分を増加させればよい。これらの増減は、地色の各成分の値付近から０にかけての値について行えばよい。
【００２９】
図５〜図７は、補正情報におけるそれぞれＬ* 、ａ* 、ｂ* 成分の入出力の関係の一例を示すグラフである。上述のように地色を除去するためには、Ｌ* 、ａ* 、ｂ* のそれぞれの色成分について補正を行えばよい。Ｌ* 成分については従来と同様であり、例えば図５に示すように、地色の明度より明るい場合には全て白とし、地色の明度付近では徐々に明度が減少するような補正を行えばよい。なお、図５ではＬ* ＝９５を０とし、Ｌ* ＝０を＋２５５として正規化した場合を示しており、０が白、＋２５５が黒である。
【００３０】
ａ* 成分については、例えば第１象限と第４象限では、図６（Ａ）に示すように地色及びその付近のａ* 成分の値を減少させればよい。また第２象限と第３象限では、図６（Ｂ）に示すように、地色及びその付近のａ* 成分の値を増加させればよい。なお、図６ではａ* ＝−１２８を０，ａ* ＝＋１２８を２５５として正規化した場合を示しており、ａ* ＝０は＋１２８である。
【００３１】
ｂ* 成分も同様であり、例えば第１象限と第２象限では、図７（Ａ）に示すように地色及びその付近のｂ* 成分の値を減少させればよい。また第３象限及び第４象限では、図７（Ｂ）に示すように、地色及びその付近のｂ* 成分の値を増加させればよい。なお、図７ではｂ* ＝−６０を０，ｂ* ＝＋１００を２５５として正規化した場合を示しており、ｂ* ＝０は＋９６である。
【００３２】
このような入出力の関係を、ユーザ登録補正情報１７として補正情報記憶部１５に記憶させておく。図８は、補正情報記憶部１５に記憶される標準補正情報１６とユーザ登録補正情報１７の一例の説明図である。上述のようにユーザ登録補正情報１７はＬ* 、ａ* 、ｂ* の各成分ごとに作成され、これらが補正情報記憶部１５に記憶される。これとは別に、予め標準補正情報１６が補正情報記憶部１５に記憶されているが、この標準補正情報１５についてもＬ* 、ａ* 、ｂ* の各成分ごとに記憶しておけばよい。
【００３３】
それぞれの補正情報は、例えば図５〜図７に示したような入出力の関係を保持できればよく、例えば１次元のルックアップテーブルで構成することができる。また、ここではそれぞれの色成分毎の補正情報としたが、これに限らず、例えば２次元、３次元の関数や、２次元、３次元のルックアップテーブルなどで構成することも可能である。
【００３４】
上述のようにして補正情報記憶部１５に記憶された補正情報を用いて地肌除去処理を行う際の動作の一例について説明する。ここでは画像入力部２で原稿の画像を読み取って、その画像を画像出力部３で形成する、いわゆるコピーを行う場合について説明する。
【００３５】
ユーザは、通常のコピーを行うモードに設定した後、コピーのための各種の設定を行う。このとき、地肌除去処理に関する動作指示を行うことができる。すなわち、補正情報記憶部１５に記憶されている標準補正情報１６を用いるのか、それともユーザ登録補正情報１７を用いるのか、さらに複数の補正情報が記憶されているのであれば、いずれの補正情報を用いるのかを指示することができる。もちろん、標準補正情報１６についてはデフォルトで設定されているものとし、標準補正情報１６を利用する場合には特段の指示を行わなくてよいように構成されていてもよい。
【００３６】
ユーザは画像読取部２に原稿をセットし、原稿の画像を読み取らせる。画像入力部２で読み取ったＢＧＲデータは画像処理装置１の色空間変換部１１に入力され、Ｌ* ａ* ｂ* データに変換される。変換されたＬ* ａ* ｂ* データは、ＭＴＦ補正部でＭＴＦ補正が施され、地肌除去部１８に渡される。それと並行して、バックグラウンド検出部１３は、Ｌ* データから画像中の地肌領域の濃度を検出し、この地肌領域の濃度についても地肌除去部１８に渡される。
【００３７】
地肌除去部１８は、ＭＴＦ補正部１２からＭＴＦ補正後のＬ* ａ* ｂ* データを受け取り、このＬ* ａ* ｂ* データに対して地肌除去処理を行う。このとき、予め設定されている補正情報に関する指示に従って、対応する補正情報を補正情報記憶部１５から読み出す。また、バックグランド検出部１３で検出した地肌領域の濃度を加味し、実際の地肌除去処理を行う。
【００３８】
例えば標準補正情報１６が選択されていれば、補正情報記憶部１５から標準補正情報１６を読み出し、その標準補正情報１６と地肌領域の濃度とから、一般的な地肌除去処理を行う。これによって、通常用いられる白紙等であれば良好に地色が除去されたＬ* ａ* ｂ* データを得ることができる。
【００３９】
また、例えばユーザ登録補正情報１７が選択されている場合には、補正情報記憶部１５からユーザ登録補正情報１７を読み出し、そのユーザ登録補正情報１７と地肌領域の濃度とから、ユーザ登録補正情報１７を登録したときの地色を除去する地肌除去処理を行う。これによって、予めユーザ登録補正情報１７を登録したときに用いた色つき用紙の原稿を読み取った場合に、その色つき用紙の地色を除去するようにＬ* 、ａ* 、ｂ* の各色成分毎に補正を行い、地色を除去することができる。例えば図５〜図７に示したようなそれぞれの色成分毎の入出力関係に従って補正され、地色が除去される。
【００４０】
このように本発明では、従来のようにＬ* 成分についてだけではなく、ａ* 成分及びｂ* 成分についても補正を行うので、良好に地色を除去することができる。もちろん、色つき用紙の原稿であっても、標準補正情報１６を選択したり、あるいは地肌除去処理を行わない設定とすれば、用紙の地色についてもそのまま残すことができる。
【００４１】
地肌除去部１８から出力されたＬ* ａ* ｂ* データは、色空間変換部１９においてＣＭＹＫデータに変換される。そして、出力階調補正部２０で画像出力部３に応じた階調補正処理が施され、画像出力部３へ出力される。このようにして画像処理装置１における処理を終える。画像出力部３は、画像処理装置１から受け取ったＣＭＹＫデータに基づいて画像を形成し、コピーが完了する。
【００４２】
以上のように、本願発明を含む画像処理装置１を用いることによって、様々な地色を有する用紙を原稿として用いた場合でも、登録しておけば、濃度だけでなく色の成分についても補正することによって地色を除去することができ、良好な画像を得ることができる。
【００４３】
なお、本発明は上述の説明に限られるものではなく、その要旨を変更しない範囲内で種々の変形が可能である。例えば上述の実施の形態では画像入力部２及び画像出力部３を設ける例を示した。しかしこれに限らず、例えば画像入力部２を設けないプリンタとして構成されたり、画像出力部３を設けないスキャナとして構成されてもよい。もちろん、画像処理装置１単体で構成されていてもよい。また、そのような構成の変形に従って、画像処理装置１内の構成も適宜変更することができる。例えば画像出力部３を設けない構成では出力階調補正部２０あるいはさらに色空間変換部１９を設けずに構成することができる。また、画像入力部２を設けない構成であって、Ｌ* ａ* ｂ* データを受け取れる構成であれば、色空間変換部１１を設けなくてもよい。またＭＴＦ補正部１２も任意である。もちろん逆に、説明した構成以外の種々の処理手段を含む構成であってもよい。
【００４４】
また、この例ではＬ* ａ* ｂ* 色空間の画像データに対して地肌除去処理を行う例を示したが、処理対象の画像データの色空間については任意であり、それぞれの用途に応じた色空間において、補正情報を登録可能にした本願発明を適用することができる。
【００４５】
さらに、本願発明はハードウェアで構成するほか、コンピュータが実行可能な画像処理プログラムとして構成し、そのプログラムをコンピュータが読み出して実行することにより本発明の機能を実現するように構成することができる。この場合の画像処理プログラムは、コンピュータが読取可能な記憶媒体に格納されて提供されるほか、ネットワークなどの通信手段を通じて提供されてもよい。
【図面の簡単な説明】
【００４６】
【図１】本発明の実施の一形態を示すブロック図である。
【図２】Ｌａｂ色空間の説明図である。
【図３】ａ* −ｂ* 平面における各象限の説明図である。
【図４】各象限における補正情報の設定方法の一例の説明図である。
【図５】補正情報におけるＬ* 成分の入出力の関係の一例を示すグラフである。
【図６】補正情報におけるａ* 成分の入出力の関係の一例を示すグラフである。
【図７】補正情報におけるｂ* 成分の入出力の関係の一例を示すグラフである。
【図８】補正情報記憶部１５に記憶される標準補正情報１６とユーザ登録補正情報１７の一例の説明図である。
【符号の説明】
【００４７】
１…画像処理装置、２…画像入力部、３…画像出力部、１１…色空間変換部、１２…ＭＴＦ補正部、１３…バックグラウンド検出部、１４…補正情報登録部、１５…補正情報記憶部、１６…標準補正情報、１７…ユーザ登録補正情報、１８…地肌除去部、１９…色空間変換部、２０…出力階調補正部。
【図１】
2006173705.tif 000003
【図２】
2006173705.tif 000004
【図３】
2006173705.tif 000005
【図４】
2006173705.tif 000006
【図５】
2006173705.tif 000007
【図６】
2006173705.tif 000008
【図７】
2006173705.tif 000009
【図８】
2006173705.tif 000010